(57)【要約】【課題】ユーザが利用する機能に係る画面を、機能の利用に適した装置で表示する。【解決手段】端末装置１０は、画像形成装置が提供する機能と、当該機能に係る画面を表示するのに適した装置とを対応付けたＵＩテーブルを記憶する。端末装置１０は、ユーザが利用する機能に係る画面に適した装置を、ＵＩテーブルを参照して特定する。端末装置１０は、ユーザが利用する機能に係る画面に適した装置が端末装置１０である場合、当該画面を表す情報を取得し、取得した情報が表す画面を表示する。端末装置１０は、ユーザが利用する機能に係る画面に適した装置が画像形成装置２０である場合、当該画面を端末装置１０と画像形成装置２０のいずれで表示するかをユーザに問い合わせる画面を表示する。端末装置１０は、ユーザが画像形成装置２０を選択した場合、当該画面の表示を画像形成装置２０へ指示する。【選択図】図１
2018163397.tif 000002
【特許請求の範囲】
【請求項１】
ユーザが利用する機能に係る画面の表示に適した装置を、自装置と外部装置のいずれか一方に特定する特定手段と、
前記特定手段が特定した装置が自装置である場合、前記画面を表す情報を前記外部装置から取得する取得手段と、
前記取得手段が取得した前記情報が表す画面を表示する表示手段と、
前記特定手段が特定した装置が前記外部装置である場合、前記画面の表示を前記外部装置へ指示する指示手段と
を備える情報処理装置。
【請求項２】
前記特定手段は、ユーザが利用する機能に係る画面の表示に適した装置を、前記機能の種類に応じて特定する
請求項１に記載の情報処理装置。
【請求項３】
前記特定手段は、ユーザが利用する機能が秘匿性を有する機能である場合、自装置を特定する
請求項２に記載の情報処理装置。
【請求項４】
前記特定手段は、ユーザが利用する機能に係る画面の表示に適した装置を、自装置の画面サイズに応じて特定する
請求項１に記載の情報処理装置。
【請求項５】
前記機能に係る画面の表示に適した画面サイズが複数の機能毎に定められ、
前記特定手段は、ユーザが利用する機能に係る画面の表示に適した装置を、当該機能に係る画面の表示に適した画面サイズと自装置の画面サイズの関係に応じて特定する
請求項４に記載の情報処理装置。
【請求項６】
ユーザが利用する機能に係る画面の表示に適した装置を、自装置と端末装置のいずれか一方に特定する特定手段と、
前記特定手段が特定した装置が前記端末装置である場合、前記画面を表す情報を前記端末装置へ提供する提供手段と、
前記特定手段が特定した装置が自装置である場合、前記画面を表示する表示手段と
を備える情報処理装置。
【請求項７】
コンピュータを、
ユーザが利用する機能に係る画面の表示に適した装置を、自装置と外部装置のいずれか一方に特定する特定手段と、
前記特定手段が特定した装置が自装置である場合、前記画面を表す情報を前記外部装置から取得する取得手段と、
前記取得手段が取得した前記情報が表す画面を表示する表示手段と、
前記特定手段が特定した装置が前記外部装置である場合、前記画面の表示を前記外部装置へ指示する指示手段
として機能させるためのプログラム。
【請求項８】
コンピュータを、
ユーザが利用する機能に係る画面の表示に適した装置を、自装置と端末装置のいずれか一方に特定する特定手段と、
前記特定手段が特定した装置が前記端末装置である場合、前記画面を表す情報を前記端末装置へ提供する提供手段と、
前記特定手段が特定した装置が自装置である場合、前記画面を表示する表示手段
として機能させるためのプログラム。
【請求項９】
ユーザが利用する機能に係る画面の表示に適した装置を、端末装置と前記機能を実行する情報処理装置のいずれか一方に特定する特定手段と、
前記特定手段が特定した装置が前記端末装置である場合、前記画面を表示する前記端末装置と、
前記特定手段が特定した装置が前記情報処理装置である場合、前記画面を表示する前記情報処理装置と
を備える情報処理システム。
【発明の詳細な説明】
【技術分野】
【０００１】
本発明は、情報処理装置、プログラムおよび情報処理システムに関する。
【背景技術】
【０００２】
携帯端末から遠隔制御を行うことが可能な画像形成装置として、例えば特許文献１に開示された画像形成装置がある。この画像形成装置は、画像形成装置の設定を行うための画面のＷｅｂデータを携帯端末へ送信する。携帯端末は、画像形成装置が送信したＷｅｂデータを受信すると、画像形成装置の設定を行うための画面をＷｅｂデータに基づいて表示する。
【先行技術文献】
【特許文献】
【０００３】
【特許文献１】特開２００８−２７６６９３号公報
【発明の概要】
【発明が解決しようとする課題】
【０００４】
画像形成装置の設定画面を携帯端末に表示し、携帯端末で設定を行った場合、画像形成装置から離れた場所でも画像形成装置の設定を行うことができる。しかしながら、例えば画像形成装置の表示画面の明るさを設定する場合、設定画面を携帯端末で表示すると、携帯端末にて設定を行えるものの、ユーザは表示画面の実際の明るさを確認することができない。
【０００５】
本発明は、ユーザが利用する機能に係る画面を、機能の利用に適した装置で表示することを目的とする。
【課題を解決するための手段】
【０００６】
本発明の請求項１に係る情報処理装置は、ユーザが利用する機能に係る画面の表示に適した装置を、自装置と外部装置のいずれか一方に特定する特定手段と、前記特定手段が特定した装置が自装置である場合、前記画面を表す情報を前記外部装置から取得する取得手段と、前記取得手段が取得した前記情報が表す画面を表示する表示手段と、前記特定手段が特定した装置が前記外部装置である場合、前記画面の表示を前記外部装置へ指示する指示手段とを備える。
【０００７】
本発明の請求項２に係る情報処理装置においては、前記特定手段は、ユーザが利用する機能に係る画面の表示に適した装置を、前記機能の種類に応じて特定する。
【０００８】
本発明の請求項３に係る情報処理装置においては、前記特定手段は、ユーザが利用する機能が秘匿性を有する機能である場合、自装置を特定する。
【０００９】
本発明の請求項４に係る情報処理装置においては、前記特定手段は、ユーザが利用する機能に係る画面の表示に適した装置を、自装置の画面サイズに応じて特定する。
【００１０】
本発明の請求項５に係る情報処理装置においては、前記機能に係る画面の表示に適した画面サイズが複数の機能毎に定められ、前記特定手段は、ユーザが利用する機能に係る画面の表示に適した装置を、当該機能に係る画面の表示に適した画面サイズと自装置の画面サイズの関係に応じて特定する。
【００１１】
本発明の請求項６に係る情報処理装置は、ユーザが利用する機能に係る画面の表示に適した装置を、自装置と端末装置のいずれか一方に特定する特定手段と、前記特定手段が特定した装置が前記端末装置である場合、前記画面を表す情報を前記端末装置へ提供する提供手段と、前記特定手段が特定した装置が自装置である場合、前記画面を表示する表示手段とを備える。
【００１２】
本発明の請求項７に係るプログラムは、コンピュータを、ユーザが利用する機能に係る画面の表示に適した装置を、自装置と外部装置のいずれか一方に特定する特定手段と、前記特定手段が特定した装置が自装置である場合、前記画面を表す情報を前記外部装置から取得する取得手段と、前記取得手段が取得した前記情報が表す画面を表示する表示手段と、前記特定手段が特定した装置が前記外部装置である場合、前記画面の表示を前記外部装置へ指示する指示手段として機能させるためのプログラムである。
【００１３】
本発明の請求項８に係るプログラムは、コンピュータを、ユーザが利用する機能に係る画面の表示に適した装置を、自装置と端末装置のいずれか一方に特定する特定手段と、前記特定手段が特定した装置が前記端末装置である場合、前記画面を表す情報を前記端末装置へ提供する提供手段と、前記特定手段が特定した装置が自装置である場合、前記画面を表示する表示手段として機能させるためのプログラムである。
【００１４】
本発明の請求項９に係る情報処理システムは、ユーザが利用する機能に係る画面の表示に適した装置を、端末装置と前記機能を実行する情報処理装置のいずれか一方に特定する特定手段と、前記特定手段が特定した装置が前記端末装置である場合、前記画面を表示する前記端末装置と、前記特定手段が特定した装置が前記情報処理装置である場合、前記画面を表示する前記情報処理装置とを備える。
【発明の効果】
【００１５】
本発明の請求項１に係る情報処理装置によれば、ユーザが利用する機能に係る画面を、機能の利用に適した装置で表示することができる。
本発明の請求項２に係る情報処理装置によれば、ユーザが利用する機能毎に、機能に係る画面を機能の利用に適した装置で表示することができる。
本発明の請求項３に係る情報処理装置によれば、ユーザが利用する機能が秘匿性を有する場合、機能に係る画面を機能の利用に適した装置で表示することができる。
本発明の請求項４に係る情報処理装置によれば、画像を表示する画面のサイズに応じて、ユーザが利用する機能に係る画面を、機能の利用に適した装置で表示することができる。
本発明の請求項５に係る情報処理装置によれば、ユーザが利用する機能に係る画面を、機能の利用に適した画面サイズと、画像を表示する画面のサイズに応じて特定し、機能の利用に適した装置で表示することができる。
本発明の請求項６に係る情報処理装置によれば、ユーザが利用する機能に係る画面を、機能の利用に適した装置で表示することができる。
本発明の請求項７に係るプログラムによれば、ユーザが利用する機能に係る画面を、機能の利用に適した装置で表示することができる。
本発明の請求項８に係るプログラムによれば、ユーザが利用する機能に係る画面を、機能の利用に適した装置で表示することができる。
本発明の請求項９に係る情報処理システムによれば、ユーザが利用する機能に係る画面を、機能の利用に適した装置で表示することができる。
【図面の簡単な説明】
【００１６】
【図１】本発明の一実施形態の情報処理システム１に係る装置を示した図。
【図２】端末装置１０のハードウェア構成の一例を示した図。
【図３】端末装置１０において実現する機能の構成の一例を示したブロック図。
【図４】画像形成装置２０のハードウェア構成の一例を示した図。
【図５】ＵＩテーブルの一例を示した図。
【図６】画像形成装置２０において実現する機能の構成の一例を示したブロック図。
【図７】実施形態の動作を説明するためのシーケンス図。
【図８】実施形態の動作を説明するためのシーケンス図。
【図９】端末装置１０が表示する画面の一例を示した図。
【図１０】実施形態の動作を説明するためのシーケンス図。
【発明を実施するための形態】
【００１７】
［実施形態］
（全体構成）
図１は、本発明の一実施形態の情報処理システム１に係る装置を示した図である。通信回線２は、データ通信が行われる通信回線であり、データ通信を行う複数のコンピュータ装置が接続される。通信回線２には、有線および無線の通信回線が含まれる。
【００１８】
本発明に係る外部装置の一例である画像形成装置２０は、用紙に画像を形成する画像形成機能、文書を読み取るスキャン機能、複写機能、ファクシミリ機能および写真印刷機能などを備えた装置である。画像形成装置２０は、通信回線２に接続されており、通信回線２を介して他のコンピュータ装置と接続してデータ通信を行う。
【００１９】
本発明に係る情報処理装置の一例である端末装置１０は、データ通信を行う装置であり、本実施形態においては、スマートフォンである。端末装置１０は、通信回線２に含まれている無線ＬＡＮ（Local Area Network）のアクセスポイントにアクセスして通信回線２に接続し、通信回線２を介してデータ通信を行う。本実施形態においては、複数の端末装置１０が通信回線２に接続可能であるが、図１においては、図面が煩雑になるのを防ぐため、一つの端末装置１０を示している。なお、端末装置１０は、スマートフォンに限定されるものではなく、例えば、タブレット端末、デスクトップ型のパーソナルコンピュータまたはラップトップ型のパーソナルコンピュータであってもよい。
【００２０】
情報処理システム１においては、端末装置１０と画像形成装置２０が通信回線２を介して通信を行い、画像形成装置２０の遠隔操作を行うための画面や、画像形成装置２０の設定を行うための画面を端末装置１０で表示することができる。端末装置１０において表示された画面を操作すると、画像形成装置２０の操作や設定を行うことができる。
【００２１】
（端末装置１０の構成）
図２は、端末装置１０のハードウェア構成の一例を示したブロック図である。タッチパネル１０３は、液晶ディスプレイと、液晶ディスプレイの表示面において指の接触を検出するセンサーとを組み合わせた装置である。本発明に係る表示手段の一例であるタッチパネル１０３は、文字やＧＵＩ（Graphical User Interface）などを表示する。また、タッチパネル１０３は、ユーザが指で触れた位置をセンサーで検出する。
【００２２】
通信部１０５は、通信回線２を介した通信を行う通信インターフェースとして機能する。また、通信部１０５は、移動体通信網を介して音声通話の通信およびデータ通信を行う通信インターフェースとしても機能する。
【００２３】
音声処理部１０７は、マイクロフォンとスピーカを有している。音声処理部１０７は、端末装置１０で音声通話を行う場合、通話相手の音声に係るデジタル信号が通信部１０５から供給されると、供給されたデジタル信号をアナログ信号に変換する。このアナログ信号は、スピーカへ供給され、スピーカからは、通話相手の音声が放音される。また、音声処理部１０７は、マイクロフォンが音声を収音すると、収音した音声をデジタル信号に変換する。音声処理部１０７は、端末装置１０で音声通話を行う場合、ユーザの音声を変換して得られたデジタル信号を通信部１０５へ供給する。このデジタル信号は、通信部１０５から移動体通信網へ送信され、通話相手の端末装置１０へ送信される。
【００２４】
記憶部１０２は、データを永続的に記憶するメモリーを有している。記憶部１０２は、スマートフォンにインストールされる周知のオペレーティングシステムのプログラム、アプリケーションプログラムおよび各種プログラムが使用するファイルを記憶する。また、記憶部１０２は、画像形成装置２０の操作や設定を行うための専用のアプリケーションプログラム（以下、専用アプリと称する）および専用アプリが使用する各種情報を記憶する。
【００２５】
制御部１０１は、ＣＰＵ（Central Processing Unit）やＲＡＭ（Random Access Memory）を備えており、オペレーティングシステムのプログラムやアプリケーションプログラムを実行する。プログラムを実行している制御部１０１は、タッチパネル１０３が検出した位置と、タッチパネルに表示されている画面に応じてユーザの操作を特定し、特定した操作に応じて各部の制御や各種処理を実行する。
【００２６】
（端末装置１０の機能構成）
図３は、専用アプリを実行した端末装置１０において実現する機能のうち、本発明に係る特徴的な機能の構成の一例を示した機能ブロック図である。特定部１００１は、本発明に係る特定手段の一例である。特定部１００１は、ＵＩテーブルを参照し、画像形成装置２０においてユーザが利用する機能に係る画面の表示に適した装置を、端末装置１０と画像形成装置２０のいずれか一方に特定する。取得部１００２は、本発明に係る取得手段の一例である。取得部１００２は、特定部１００１が特定した装置が端末装置１０である場合、画像形成装置２０においてユーザが利用する機能に係る画面を表す情報を画像形成装置２０から取得する。表示制御部１００３は、取得部１００２が取得した情報が表す画面が表示されるように、取得部１００２が取得した情報に従ってタッチパネル１０３を制御する。指示部１００４は、本発明に係る指示手段の一例である。指示部１００４は、特定部１００１が特定した装置が画像形成装置２０である場合、ユーザが利用する機能に係る画面の表示を画像形成装置２０へ指示する。
【００２７】
（画像形成装置２０の構成）
図４は、画像形成装置２０のハードウェア構成の一例を示した図である。操作部２０４は、画像形成装置２０を操作するための複数のボタンを有する。また、操作部２０４は、液晶ディスプレイと液晶ディスプレイの表示面において指の接触を検出するセンサーとを組み合わせたタッチパネルを備えている。本発明に係る表示手段の一例であるタッチパネルは、画像形成装置２０を操作するためのＧＵＩの画面を表示する。なお、本実施形態においては、画像形成装置２０はタッチパネルを有し、タッチパネルとボタンで画像形成装置２０を操作可能であるが、タッチパネルの替わりに液晶ディスプレイを有し、液晶ディスプレイでＧＵＩの画面を表示し、ボタンで画像形成装置２０を操作する構成であってもよい。
【００２８】
通信部２０５は、通信回線２に有線または無線で接続されており、通信回線２に接続されている他の装置とデータ通信を行う。音出力部２０３は、スピーカを有している。音出力部２０３は、制御部２０１により制御され、音を出力する。
【００２９】
スキャン部２０６は、文書を光学的に読み取り、読み取った文書の画像を表す画像ファイルを生成する画像読取装置を備えている。画像処理部２０８は、用紙に形成する画像を表す画像データに各種処理を施すものである。画像処理部２０８は、制御部２０１から供給される画像データが表す画像に色補正や階調補正等の画像処理を施し、画像処理が施された画像からＹｅｌｌｏｗ（Ｙ）、Ｍａｇｅｎｔａ（Ｍ）、Ｃｙａｎ（Ｃ）、Ｂｌａｃｋ（Ｋ）の各色の画像の画像データを生成して画像形成部２０７へ出力する。
【００３０】
画像形成部２０７は、電子写真方式によって用紙にトナー像を形成する。具体的には、画像形成部２０７は、Ｙｅｌｌｏｗの色のトナー像を形成する画像形成部、Ｍａｇｅｎｔａの色のトナー像を形成する画像形成部、Ｃｙａｎの色のトナー像を形成する画像形成部、Ｂｌａｃｋの色のトナー像を形成する画像形成部を備えている。各画像形成部は、画像処理部２０８が出力した画像データに従って感光体上に静電潜像を形成した後、感光体表面にトナーを付着させてＹｅｌｌｏｗ、Ｍａｇｅｎｔａ、Ｃｙａｎ、Ｂｌａｃｋの各色のトナー像を形成し、このトナー像を用紙に転写する。そして、用紙に転写されたトナー像に熱と圧力を加えて定着させた後、トナー像が形成された用紙を画像形成装置２０の外へ排出する。なお、画像形成部２０７は、本実施形態においてはトナーを用いて用紙に画像を形成するが、インクジェット方式などのインクを用いて用紙に画像を形成する構成としてもよい。
【００３１】
記憶部２０２は、データを永続的に記憶する記憶装置を有しており、他の装置から送信されて通信部２０５が受信した文書ファイルや画像ファイル、スキャン部２０６が生成した画像ファイルを記憶する。また、記憶部２０２は、画像形成装置２０が有する機能に係る画面を表示するのに適した装置を表す情報を格納したＵＩテーブルを記憶する。
【００３２】
図５は、ＵＩテーブルの一例を示した図である。ＵＩテーブルは、機能フィールドと装置フィールドを有する。機能フィールドにおいては、画像形成装置２０が有する機能の機能名が格納される。装置フィールドには、同じレコードに格納されている機能名の機能に係る画面を表示するのに適した装置を表す情報が格納される。
【００３３】
例えば、画像形成装置２０は、画像形成装置２０において異常が発生した場合、異常が発生したことを音によってユーザに知らせる。画像形成装置２０は、この音の音量を設定する音量設定機能を有する。ユーザが画像形成装置２０から離れたところに位置し、音量設定機能に係るＧＵＩ画面を端末装置１０で表示し、表示されたＧＵＩ画面を操作した場合、音量の設定を行うことができるものの、音の音量を実際に聞いて確認することができない。一方、音量設定機能に係るＧＵＩ画面を操作部２０４で表示し、表示されたＧＵＩ画面を操作した場合、ユーザがＧＵＩ画面で設定した音量に応じた音が画像形成装置２０から出力され、音の音量を実際に聞いて確認することができる。このように、音量設定機能に係る画面については、画像形成装置２０で表示することが好ましいため、ＵＩテーブルにおいて機能フィールドに「音量設定」が格納されているレコードにあっては、装置フィールドに「画像形成装置」が格納されている。つまり、画像形成装置２０での確認を行うのが好ましい種類の機能については、装置フィールドに「画像形成装置」が格納される。
【００３４】
また、画像形成装置２０は、画像形成装置２０の管理者が予め使用を許可したユーザに対して使用を許可する認証機能を有する。具体的には、画像形成装置２０は、予め使用を許可されたユーザのユーザＩＤおよびパスワードを記憶する。画像形成装置２０は、ユーザが入力したユーザＩＤおよびパスワードと、記憶しているユーザＩＤおよびパスワードを比較し、ユーザが入力したユーザＩＤおよびパスワードが記憶されている場合、画像形成装置２０を使用可能な状態にする。ユーザがユーザＩＤおよびパスワードを入力する際には、画像形成装置２０の操作部２０４で入力を行うと、他人にユーザＩＤおよびパスワードを見られてしまう虞がある。一方、端末装置１０においては、端末装置１０の向きを容易に変えられるため、他人にユーザＩＤおよびパスワードを見られてしまう虞が少ない。このため、ＵＩテーブルにおいて機能フィールドに「ユーザ認証」が格納されているレコードにあっては、装置フィールドに「端末装置」が格納されている。つまり、秘匿性を有する種類の機能については、装置フィールドに「端末装置」が格納される。
【００３５】
制御部２０１は、ＣＰＵ、ＲＡＭおよびメモリーを備えており、メモリーに記憶されているオペレーティングシステムのプログラムやアプリケーションプログラムを実行する。アプリケーションプログラムを実行した制御部２０１においては、端末装置１０と通信を行い、端末装置１０からの指示に応じて各種処理を実行する機能が実現する。
【００３６】
図６は、画像形成装置２０において実現する機能のうち、本発明に係る機能の構成を示したブロック図である。テーブル提供部２００１は、端末装置１０から画像形成装置２０へのアクセスに応じて、ＵＩテーブルを端末装置１０へ送信する。画面情報提供部２００２は、画像形成装置２０が提供する機能に係る画面を表す情報を端末装置１０へ提供する。指示取得部２００３は、端末装置１０が送信した指示であって、ユーザが利用する機能に係る画面の表示の指示を取得する。表示制御部２００４は、指示取得部２００３が取得した指示に応じてタッチパネルを制御し、ユーザが利用する機能に係る画面を表示する。
【００３７】
（実施形態の動作例）
次に本実施形態の動作の一例について、図９の画面例と、図７、８、１０のシーケンス図を用いて説明する。
【００３８】
まず、専用アプリを起動した端末装置１０は、画像形成装置２０へ接続するためのＧＵＩ画面を表示する。ＧＵＩ画面を表示している端末装置１０において、ユーザが画像形成装置２０への接続を指示する操作を行うと、端末装置１０は、ＵＩテーブルを要求するメッセージを画像形成装置２０へ送信する（図７：ステップＳ１）。
【００３９】
画像形成装置２０は、ステップＳ１で送信されたメッセージを取得する。ステップＳ１で送信されたメッセージを取得した画像形成装置２０は、記憶部２０２に記憶されているＵＩテーブルを端末装置１０へ送信する（ステップＳ２）。端末装置１０は、ステップＳ２で送信されたＵＩテーブルを取得し、取得したＵＩテーブルを記憶部１０２に記憶させる。
【００４０】
ＵＩテーブルを取得した端末装置１０は、ユーザ認証を行うための画面を表示するのに適した装置を特定する（ステップＳ３）。具体的には、端末装置１０は、ＵＩテーブルにおいて「ユーザ認証」が格納されているレコードを検索する。端末装置１０は、「ユーザ認証」が格納されているレコードがヒットすると、ヒットしたレコードの装置フィールドに格納されている情報である「端末装置」を取得する。端末装置１０は、ＵＩテーブルから取得した情報が「端末装置」である場合、ユーザＩＤおよびパスワードの入力画面を要求するメッセージを画像形成装置２０へ送信する（ステップＳ４）。
【００４１】
画像形成装置２０は、ステップＳ４で送信されたメッセージを取得する。ステップＳ４で送信されたメッセージを取得した画像形成装置２０は、ユーザＩＤおよびパスワードの入力画面を表す情報を端末装置１０へ送信する（ステップＳ５）。ステップＳ５で送信された情報を取得した端末装置１０が、取得した情報に従ってタッチパネル１０３を制御すると、ユーザＩＤおよびパスワードの入力画面がタッチパネル１０３に表示される（ステップＳ６）。
【００４２】
ユーザは、入力画面を表示しているタッチパネル１０３を操作してユーザＩＤおよびパスワードを入力する。次に入力されたユーザＩＤおよびパスワードを送信する操作をユーザが行うと、端末装置１０は、入力されたユーザＩＤおよびパスワードを取得し（ステップＳ７）、取得したユーザＩＤおよびパスワードを画像形成装置２０へ送信する（ステップＳ８）。
【００４３】
画像形成装置２０は、ステップＳ６で送信されたユーザＩＤおよびパスワードを取得する。画像形成装置２０は、取得したユーザＩＤおよびパスワードの組と同じ組が記憶部２０２に記憶されている場合、ユーザに対して画像形成装置２０の使用を許可する（ステップＳ９）。画像形成装置２０は、ユーザに対して画像形成装置２０の使用を許可すると、画像形成装置２０の操作や設定を行うためのＧＵＩ画面の情報を端末装置１０へ送信する（ステップＳ１０）。
【００４４】
端末装置１０は、ステップＳ１０で送信された情報を取得する。ステップＳ１０で送信された情報を取得した端末装置１０が、取得した情報に従ってタッチパネル１０３を制御すると、画像形成装置２０の操作や設定を行うためのＧＵＩ画面がタッチパネル１０３に表示される（ステップＳ１１）。
【００４５】
上述の動作でタッチパネル１０３に表示されたＧＵＩ画面において、音量設定の画面の表示を指示する操作をユーザが行うと、端末装置１０は、音量設定を行うための画面を表示するのに適した装置を特定する（図８：ステップＳ２１）。具体的には、端末装置１０は、記憶部１０２にあるＵＩテーブルにおいて、「音量設定」が格納されているレコードを検索する。端末装置１０は、「音量設定」が格納されているレコードがヒットすると、ヒットしたレコードの装置フィールドに格納されている情報である「画像形成装置」を取得する。
【００４６】
端末装置１０は、ＵＩテーブルから取得した情報が「画像形成装置」である場合、音量設定のＧＵＩ画面を端末装置１０と画像形成装置２０のどちらで表示するかをユーザに問い合わせる画面を表示する（ステップＳ２２）。
【００４７】
図９は、ステップＳ２２でタッチパネル１０３に表示される画面の一例を示した図である。画像形成装置２０が出力する音の音量を決定するには、実際に画像形成装置２０から発せられる音の音量を聞くのが好ましいため、ステップＳ２２で表示される画面においては、本体（画像形成装置２０）で音量の設定を行うことが好ましいことを説明する文が含まれている。図９の画面において、ユーザが、「端末で行う」のボタンをタップする操作を行うと（ステップＳ２３）、端末装置１０は、音量設定を端末装置１０で行うことを表すメッセージを画像形成装置２０へ送信する（ステップＳ２４）。
【００４８】
画像形成装置２０は、ステップＳ２４で送信されたメッセージを取得する。ステップＳ２４で送信されたメッセージを取得した画像形成装置２０は、取得したメッセージの内容が、音量設定を端末装置１０で行うことを表すため、音量設定を行うための画面を表す情報を端末装置１０へ送信する（ステップＳ２５）。端末装置１０は、ステップＳ２５で送信された情報を取得する。ステップＳ２５で送信された情報を取得した端末装置１０が、取得した情報に従ってタッチパネル１０３を制御すると、音量設定を行うための画面がタッチパネル１０３に表示される（ステップＳ２６）。
【００４９】
一方、図９に示した画面において、ユーザが、「本体で行う」のボタンをタップする操作を行った場合、端末装置１０は、音量設定を画像形成装置で行うことを表すメッセージを画像形成装置２０へ送信する（図１０：ステップＳ２７）。
【００５０】
画像形成装置２０は、ステップＳ２７で送信されたメッセージを取得する。ステップＳ２４で送信されたメッセージを取得した画像形成装置２０は、取得したメッセージの内容が、音量設定を画像形成装置で行うことを表す内容である場合、音量設定を行うための画面を操作部２０４のタッチパネルで表示する（ステップＳ２８）。ユーザが、操作部２０４のタッチパネルに表示された画面を操作し、音量の設定を行うと、画像形成装置２０は、設定された音量に対応した音を音出力部２０３から出力する。ここでユーザは、操作に応じて出力された音を聞きながら音量の設定を行うことができる。
【００５１】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態および以下の変形例は、各々を組み合わせてもよい。
【００５２】
（変形例１）
上述した実施形態においては、ＵＩテーブルを画像形成装置２０から端末装置１０へ送信し、画面を表示するのに適した装置を端末装置１０が特定しているが、画面を表示するのに適した装置を画像形成装置２０が特定する構成であってもよい。この構成の場合、画像形成装置２０は、本発明に係る情報処理装置の一例である。本変形例においては、例えば、端末装置１０は、音量設定の画面の表示を指示する操作をユーザが行うと、音量設定の画面を要求するメッセージを画像形成装置２０へ送信する。このメッセージを取得した画像形成装置２０は、記憶部２０２にあるＵＩテーブルにおいて、「音量設定」が格納されているレコードを検索する。画像形成装置２０は、「音量設定」が格納されているレコードがヒットすると、ヒットしたレコードの装置フィールドに格納されている情報である「画像形成装置」を取得する。画像形成装置２０は、ＵＩテーブルから取得した情報が「画像形成装置」である場合、音量設定のＧＵＩ画面を端末装置１０と画像形成装置２０のどちらで表示するかをユーザに問い合わせる画面の情報を端末装置１０へ送信する。端末装置１０は、画像形成装置２０から送信された情報に基づいて、音量設定のＧＵＩ画面を端末装置１０と画像形成装置２０のどちらで表示するかをユーザに問い合わせる画面（図９）を表示する。
【００５３】
ユーザが、「端末で行う」のボタンをタップする操作を行うと、端末装置１０は、音量設定を端末装置１０で行うことを表すメッセージを画像形成装置２０へ送信する。画像形成装置２０は、端末装置１０が送信したメッセージを取得する。画像形成装置２０は、取得したメッセージの内容が、音量設定を端末装置１０で行うことを表すため、音量設定を行うための画面を表す情報を端末装置１０へ送信する。端末装置１０は、画像形成装置２０から送信された情報を取得する。端末装置１０が取得した情報に従ってタッチパネル１０３を制御すると、音量設定を行うための画面がタッチパネル１０３に表示される。なお、図９に示した画面において、ユーザが、「本体で行う」のボタンをタップする操作を行った場合は、上述した実施形態と同じ動作となるため、その説明を省略する。
【００５４】
また、端末装置１０は、ユーザ認証を行うための画面の表示を指示する操作が行われた場合、ユーザ認証を行うための画面を要求するメッセージを画像形成装置２０へ送信する。このメッセージを取得した画像形成装置２０は、記憶部２０２にあるＵＩテーブルにおいて、「ユーザ認証」が格納されているレコードを検索する。画像形成装置２０は、「ユーザ認証」が格納されているレコードがヒットすると、ヒットしたレコードの装置フィールドに格納されている情報である「端末装置」を取得する。画像形成装置２０は、ＵＩテーブルから取得した情報が「端末装置」である場合、ユーザＩＤおよびパスワードの入力画面を表す情報を端末装置１０へ送信する。端末装置１０は、画像形成装置２０から送信された情報を取得する。端末装置１０が取得した情報に従ってタッチパネル１０３を制御すると、ユーザＩＤおよびパスワードの入力画面がタッチパネル１０３に表示される。
【００５５】
（変形例２）
本発明においては、ＵＩテーブルにおいて、装置フィールドに替えて画面サイズのフィールドを設け、このフィールドに画面サイズを格納する構成としてもよい。また、画面サイズのフィールドをＵＩテーブルに設ける構成の場合、機能名毎に対応した画面サイズを画面サイズのフィールドに格納し、機能によっては他の機能と格納される画面サイズが異なる構成としてもよい。
【００５６】
例えば、機能フィールドに「スキャン文書のプレビュー」が格納されているレコードにおいて、画面サイズのフィールドに１０インチを格納したＵＩテーブルを設ける。このＵＩテーブルを取得した端末装置１０は、スキャン文書のプレビュー機能を使用する操作が行われた場合、タッチパネル１０３の画面サイズを取得し、ＵＩテーブルにおいて「スキャン文書のプレビュー」が格納されているレコードから画面サイズを取得する。
【００５７】
端末装置１０は、取得したタッチパネル１０３の画面サイズがＵＩテーブルから取得した画面サイズ以上である場合には、スキャンした文書のプレビュー画面を要求するメッセージを画像形成装置２０へ送信する。画像形成装置２０は、このメッセージを取得すると、プレビュー画面を表す情報を端末装置１０へ送信する。この情報を取得した端末装置１０は、画像形成装置２０から送信された情報に従ってスキャンした文書のプレビュー画面を表示する。
【００５８】
一方、端末装置１０は、取得したタッチパネル１０３の画面サイズがＵＩテーブルから取得した画面サイズ未満である場合には、スキャンした文書のプレビュー画面を端末装置１０と画像形成装置２０のどちらで表示するかをユーザに問い合わせる画面を要求するメッセージを画像形成装置２０へ送信する。画像形成装置２０は、このメッセージを取得すると、プレビュー画面を端末装置１０と画像形成装置２０のどちらで表示するかをユーザに問い合わせる画面の情報を、端末装置１０へ送信する。端末装置１０は、画像形成装置２０から送信された情報に基づいて、プレビュー画面を端末装置１０と画像形成装置２０のどちらで表示するかを選択するための画面をタッチパネル１０３に表示する。この画面においては、端末装置１０の画面サイズが小さいため、プレビュー画面を端末装置１０で表示することが好ましくないことを説明する文が含まれている。
【００５９】
表示される画面は、「端末で行う」のボタンと「本体で行う」のボタンを有する。ユーザが、表示された画面において「本体で行う」のボタンをタップする操作を行うと、端末装置１０は、スキャンした文書のプレビュー画面の表示を画像形成装置２０で行うことを表すメッセージを、画像形成装置２０へ送信する。画像形成装置２０は、端末装置１０から送信されたメッセージを取得する。画像形成装置２０は、取得したメッセージの内容が、スキャンした文書のプレビュー画面の表示を画像形成装置２０で行うことを表す内容である場合、スキャンした文書のプレビュー画面を表示する。
【００６０】
一方、ユーザが、表示された画面において「端末で行う」のボタンをタップする操作を行うと、端末装置１０は、スキャンした文書のプレビュー画面の表示を端末装置１０で行うことを表すメッセージを画像形成装置２０へ送信する。画像形成装置２０は、端末装置１０から送信されたメッセージを取得する。画像形成装置２０は、取得したメッセージの内容が、スキャンした文書のプレビュー画面の表示を端末装置１０で行うことを表す内容である場合、スキャンした文書のプレビュー画面を表す情報を端末装置１０へ送信する。端末装置１０は、画像形成装置２０から送信された情報に基づいて、スキャンした文書のプレビュー画面をタッチパネル１０３で表示する。
【００６１】
（変形例３）
上述した実施形態においては、端末装置１０によって遠隔操作や設定が行われる装置は、画像形成装置２０であるが、端末装置１０によって遠隔操作や設定が行われる装置は、画像形成装置２０に限定されるものではない。例えば、端末装置１０によって遠隔操作や設定が行われる装置は、映像機器、音響機器、白物家電、情報家電などの家電機器であってもよい。端末装置１０によって遠隔操作や設定が行われる装置が家電機器である場合、家電機器は、本発明に係る情報処理装置の一例となる。
【００６２】
（変形例４）
本発明においては、ＵＩテーブルの装置フィールドに「画像形成装置」が格納されているレコードに格納されている機能名の機能が使用されたときに、使用された機能に係る画面を表示した装置の履歴を記憶部２０２に記憶させるようにしてもよい。また、使用された機能に係る画面を表示した装置の履歴を記憶部２０２に記憶させる構成においては、記憶された履歴を画像形成装置２０の管理者が閲覧できる構成としてもよい。
【００６３】
また、例えば、画像形成装置２０は、ＵＩテーブルの装置フィールドに「画像形成装置」が格納されているレコードに格納されている機能名の機能について、使用された機能に係る画面を端末装置１０が表示した回数が予め定められた閾値以上であるか否かを記憶した履歴から判断し、使用された機能に係る画面を端末装置１０が表示した回数が予め定められた閾値以上である場合、ＵＩテーブルの書き換えを画像形成装置２０の管理者に提案する構成としてもよい。
【００６４】
（変形例５）
上述した実施形態においては、端末装置１０は、専用アプリを実行することにより画像形成装置２０と通信を行い、画像形成装置２０の操作や設定を行うための画面を表示しているが、画像形成装置２０の操作や設定を行うための画面を表示する構成は、実施形態の構成に限定されるものではない。例えば、端末装置１０で画像形成装置２０の操作や設定を行う場合、Ｗｅｂブラウザ上で動作するＷｅｂアプリケーションにより、画像形成装置２０の操作や設定を行う構成としてもよい。
【符号の説明】
【００６５】
１…情報処理システム、２…通信回線、１０…端末装置、２０…画像形成装置、１０１…制御部、１０２…記憶部、１０３…タッチパネル、１０５…通信部、１０７…音声処理部、２０１…制御部、２０２…記憶部、２０３…音出力部、２０４…操作部、２０５…通信部、２０６…スキャン部、２０７…画像形成部、２０８…画像処理部、１００１…特定部、１００２…取得部、１００３…表示制御部、１００４…指示部、２００１…テーブル提供部、２００２…画面情報提供部、２００３…指示取得部、２００４…表示制御部。
【図１】
2018163397.tif 000003
【図２】
2018163397.tif 000004
【図３】
2018163397.tif 000005
【図４】
2018163397.tif 000006
【図５】
2018163397.tif 000007
【図６】
2018163397.tif 000008
【図７】
2018163397.tif 000009
【図８】
2018163397.tif 000010
【図９】
2018163397.tif 000011
【図１０】
2018163397.tif 000012